(57)【要約】  補助衣服は、患者の腹部領域に全圧力を及ぼす弾力性のある伸張可能な本体部、及び、股部を有し、それら部分は衣服の前面、及び、裏面で相互に接続され、衣服の裏面で相互に接続される２つの部分の一部分の端部は平面状で湾曲している。端部の相対する部分の湾曲部半径は、股部の湾曲端部の湾曲部半径が本体部湾曲端部の湾曲部半径よりも小さくなるように関連付けられている。腹部領域への補助を必要とするヘルニア患者へより快適に使用でき、大量生産可能な補助衣服を提供する。
2007519439.tif 000002
【特許請求の範囲】
【請求項１】
患者の腹部領域に全圧力を及ぼす弾力性のある伸張可能な本体部（１，２０，３０，４０，５０）、及び、股部（２、２１、３１、４１、５１）を有し、これらの部分は、前記衣服の前面（１１）、及び、裏面（１０、２４）で相互に接続され、前記衣服の前記裏面で相互に接続される２つの部分の一部分の端部は平面状で湾曲しており、前記端部の相対する部分の湾曲半径は前記股部（２、２１、３１、４１、５１）の湾曲端部（３３，４３）の湾曲半径が前記本体部（１，２０，３０，４０，５０）の湾曲端部（３２，４２）の湾曲半径よりも小さくなるように関連付けられている補助衣服。
【請求項２】
前記股部（２、２１、３１、４１、５１）の湾曲端部の湾曲半径が前記本体部（１、２０、３０、４０、５０）の湾曲端部の湾曲部半径よりも１０〜１５ｍｍ小さい、請求項１に記載の補助衣服。
【請求項３】
前記股部（２、２１、３１、４１、５１）の湾曲端部（３３、４３）が凸状である、請求項１または２に記載の補助衣服。
【請求項４】
腹部領域への全圧力が１５〜５０ｍｍＨｇ（２０〜６７ｈＰａ）である、請求項１に記載の補助衣服。
【請求項５】
本体部（１，２０，３０，４０，５０）がニット材料で作られる、請求項１〜４のいずれか１項に記載の補助衣服。
【請求項６】
前記本体部（１，２０，３０，４０，５０）が管状のニット材料で作られる、請求項５に記載の補助衣服。
【請求項７】
前記本体部（１，２０，３０，４０，５０）が１以上の弾力性のある織糸を有する材料で作られる、請求項１〜６のいずれか１項に記載の補助衣服。
【請求項８】
弾力性のある織糸は、エラスタン織糸が好ましい、請求項７に記載の補助衣服。
【請求項９】
前記本体部（１，２０，３０，４０，５０）の材料が、重量で１６〜６０％の間のエラスタン織糸を有する、請求項８に記載の補助衣服。
【請求項１０】
前記本体部（１，２０，３０，４０，５０）の材料が、重量で３０〜５０％の間のエラスタン織糸を有する、請求項９に記載の補助衣服。
【請求項１１】
前記股部（２，２１，３１，４１，５１）が肌触りの良い材料で作られる、請求項１〜１０のいずれか１項に記載の補助衣服。
【請求項１２】
ストーマ用の穴部（８）を更に有する、請求項１〜１１のいずれか１項に記載の補助衣服。
【発明の詳細な説明】
【技術分野】
【０００１】
本発明は、補助衣服に関し、特には、アンダーパンツ型のヘルニア用補助衣服に関する。
【背景技術】
【０００２】
ヘルニアとは、体内の異常な開口部より器官、または、組織が突出することである。多くのヘルニアは、腹壁の弱い部分を通って腸が出る際に発生し、目に見え、接触可能な袋を形成する。ヘルニアは臍周辺、股間内、または、切開手術を行ったあらゆる箇所において生じうる。
【０００３】
開口部が大きく、比較的小さな嚢のヘルニアにおいては、手術ができず、または、延期された場合に、補助ベルト、または、補助帯が特定部分のヘルニアの突出部を引っ込めるのに有用である。
【０００４】
ストーマ（stoma）を伴うヘルニアはしばし問題を生じる。ストーマが腹部表面に作られた場合、腸が腹部内壁の筋肉を貫通するため、潜在的に弱い部分がすぐさま形成されてしまう。ストーマを伴うヘルニアにおいて袋を適切に取り付けることは困難で、時に、それらの全体的な大きさは服の下に見てとれるため恥ずかしいものである。
【０００５】
米国特許第４６１２６７４号には、裏面の布の中心線より延びて、着用者の臀部間の裂け目に一致する縦長の凹部を有するアンダーウェアが記載されている。それゆえに、そのアンダーウェアを着用すると臀部の曲線と臀部の裂け目にぴったりと適合する。
【０００６】
デンマーク特許第１７４５３６号には、腹部への補強材、及び、股部の穴部に加えて、ストーマがパンツを貫通するための穴部を有する加圧帯より作られるパンツ型の造孔術補助衣服が記載されている。
造孔術補助衣服は、多くの計測及び適合手続による、個々の患者への特別注文である。
【０００７】
しかしながら、この種の補助衣服の全圧力は、例えば、着用時などに、特に股部分における不快感を生じさせかねない。更には、股部に穴が在るため、更にもう一枚のパンツの使用を必要とする。
【発明の開示】
【課題を解決するための手段】
【０００８】
本発明の目的は、腹部への補助を必要とするヘルニア患者に、従来技術の補助衣服よりもより快適に使用できる補助衣服を提供することである。
【０００９】
本発明の別の目的は、腹部への補助を必要とするヘルニア患者に快適な材料で作られた股部を有する補助衣服を提供することである。
【００１０】
本発明のさらに別の目的は、腹部への補助を必要とするヘルニア患者に量産可能な快適な補助衣服を提供することである。
【００１１】
本発明の補助衣服は、患者の腹部領域に全圧力を及ぼす弾力性のある本体部、及び、股部を有し、それらの部分は衣服の前面、及び、裏面で相互に接続され、衣服の裏面で相互に接続される２つの部分の一部分である端部は平面状で湾曲しており、端部の相対する部品の湾曲部半径は、股部の湾曲端部の湾曲部半径が本体部の湾曲端部の湾曲部半径よりも小さくなるように関連付けられている。
【００１２】
股部の湾曲端部は本質的に凸面が好ましい。
【００１３】
本発明は、本体補助部と股部が上述の方法で衣服の裏面において接合されることにより、ふくらみ、または、小袋が衣服の裏面に形成され、それゆえに、このふくらみ、または、小袋が衣服の裏面の股部ゾーンにより大きい空間をもたらし、結果的に密接に接する股部を有する衣服よりもより快適に使用することができるという発見に基づく。更には、本発明の補助衣服は、注文式の製品に比べ経費を節減して量産が可能である。
【００１４】
端部の湾曲部半径は端部の長さにより変化してもよく、通常、変化は、衣服の垂直中心線に対して対称的に分布され、それゆえに使用者の人体により適合することができる。
【００１５】
本発明の好ましい実施形態では、股部の端部の湾曲半径は、本体部の端部の湾曲半径よりも１０〜１５ｍｍ小さく、これは両方の端部部分が最大の差異を示す範囲内である。
【００１６】
集められた本体部、及び、股部の端部は望ましくは平面状で円形になるのがよい。
【００１７】
本体部、及び、股部の端部は平面状で、いかなる要望の湾曲形をも取りうることを理解すべきである。
【００１８】
ここで使用している「湾曲形状」という言葉は、連続的に滑らかに直線から外れる形状を意味する。
【００１９】
本発明の弾力性のある伸張できる本体部は、患者の腹部領域に均一な圧力を及ぼし、それゆえにヘルニアを抑える働きをする。及ぼされる圧力は、１５〜５０ｍｍＨｇ（２０〜６７ｈＰａ）以内であることが好ましい。
【００２０】
本体部分は、１以上のエラスタン織糸のような弾力性のある織糸から成るニット材料で作られるのが好ましい。特に適したニット材料は１６〜６０％、より厳密には、３０〜５０％の間でエラスタン織糸が含まれている。脇の縫い目のような不快な縫い目を避けるために管状ニット材料がより好ましい。
【００２１】
本体補助部にはストーマのための穴部を備えていてもよく、穴部の端部は国際特許出願番号ＷＯ第２００４/００６９１１７号で記載されているように固定されていてもよい。
【００２２】
本発明の衣服の股部分は肌触りの良いいかなる可撓材料で作られてもよい。
【００２３】
股部は最下部に穴部を有するか、または、開口されていてもよく、それゆえ患者は補助衣服を脱ぐ必要なしにトイレを済ますことが可能となる。前述の穴部、または、開口部を閉めるための手段もまた提供されていてもよい。そのような閉めるための手段の例は、ベルクロ（登録商標）留め具、ボタンと対応するボタン穴、鍵ホックなどである。
【００２４】
本体部と股部間の相互の接続は、材料に応じて適した縫製、溶接などの形式が好ましい。
【発明を実施するための最良の形態】
【００２５】
図１は、本体部１、股部２、本体部１に取り付けられたウエストバンド部３、および脚開口部５の周囲に在る縁取り部４を有する本発明の補助衣服の正面図である。本体部１は、人体に最適な装着感を提供するための縫い目６を具備する。股部２は、補助衣服の前面の本体部１と股部２間に在る結合部１１から補助衣服の裏面の本体部１と股部２間に在る結合部１０まで延びている。股部２は、できれば股部２で使用されているのと同材料の可撓材料７で部分的に覆われ、男性が補助衣服を脱がずに排尿できるように、補助衣服の内側から補助衣服の外側への通路、または、前あきを形成するように本体部１と股部２に結合されている。ウエストバンド３は、肌への摩擦を増やし、それゆえにウエストバンドが衣服を正しい位置に保つ補助となるために、例えば、シリコンパターン形式、または、ゴムに似た性質をもつ織糸を使用するなどの、滑防止手段を有する内部ライニングを伴う弾力材料から成る。例えば、本体部１の内側に滑防止手段を保有させることによりウエストバンドを排除することも可能である。本体部１の穴部８は、ストーマが補助衣服を貫通することを可能とする。縁取り部９は、ストーマを固定するために穴部の周囲に配置されている。補助衣服の裏面の本体部１と股部２間の結合部は破線１０で表される。
【００２６】
図２は、本体部２０、股部２１、本体部２０に取り付けられたウエストバンド部２２、及び、脚開口部２５をとり囲む縁取り部２３を有する図１の補助衣服の裏面を表している。本体部２０と股部は縫合されている。縫い目２４に沿って本体部２０の端部に取り付けられている股部２１の端部は湾曲しており、股部２１の湾曲部の半径は、本体部２０の結合された湾曲端部の湾曲部半径より小さい。それゆえ図５で示されるように断面で表される股部２１は、本体部２０と比較するとふくらみを帯び、補助衣服の底部は袋状になっている。
【００２７】
図３は、組立前の平面状の本体部３０、及び、平面状の股部３１の裏面の展開図を概略的に図示している。本体部３０は股部３１の湾曲端部３３に結合される湾曲端部３２を有している。端部の相対する湾曲部の半径は、股部３１の湾曲部の半径が、本体部３０の湾曲部半径より小さく、本体部、及び、股部の湾曲端部の長さは基本的に同じになるように関連付けられている。
【００２８】
図４は、組立前の平面状態の本発明の別の実施形態の平面状の本体部４０、及び、股部４１の裏面の展開図を概略的に図示している。本体部４０は、股部４１の湾曲端部４３に結合される湾曲端部４２を有している。結合されると、本体部４０と股部４１間の結合部は、図３で表される部分に比べ補助衣服の高い位置に在る。湾曲部は円形である。端部の相対する湾曲部の半径は、股部４１の湾曲部の半径が本体部４０の湾曲部の半径よりも小さくなるように関連付けられている。
【００２９】
図２で図示される補助衣服の裏面の線Ｉ−Ｉに沿った垂直断面図である図５において、本体部２０は縫い目２４により股部２１に取り付けられている。２つの部品を取り付けるその他の手段も可能である。股部２１の端部湾曲部半径が本体部２０の端部湾曲部半径より小さいので、ふくらみ、または、小袋部２６は補助衣服の下部に形成される。
【００３０】
本発明は以下の図面を参照することにより、より詳細に説明がなされる。
【図面の簡単な説明】
【００３１】
【図１】本発明の補助衣服の好ましい実施形態の正面図である。
【図２】図１で示す補助衣服の実施形態の裏面側面図である。
【図３】本発明の補助衣服の別の実施形態を概略的に示した分解図である。
【図４】本発明による補助衣服の更に別の実施形態における本体部、及び、股部を概略的に示した分解図である。
【図５】図２における線１−１に沿った本発明による補助衣服の裏面の垂直断面図である。
【図１】
2007519439.tif 000003
【図２】
2007519439.tif 000004
【図３】
2007519439.tif 000005
【図４】
2007519439.tif 000006
【図５】
2007519439.tif 000007
【国際調査報告】
2007519439.tif 000008
2007519439.tif 000009
2007519439.tif 000010